(57)【特許請求の範囲】
【請求項１】
複数の収容室を有したフレームと、前記各収容室に個別に収容される複数のサブコネクタと、該各サブコネクタと収容室との間をシールするパッキンと、を備えた防水コネクタであって、
前記各収容室の内壁に前記パッキンを固定すると共に、前記サブコネクタの外周に、前記パッキンの内周に圧接することでシール性を確保するシール面を設けたことを特徴とする防水コネクタ。
【請求項２】
請求項１に記載の防水コネクタであって、
前記パッキンと収容室の内壁の一方に係合突起を設けると共に、他方に係合孔を設け、前記係合突起と係合孔の係合により、前記パッキンを収容室の内壁に固定したことを特徴とする防水コネクタ。
【請求項３】
請求項１または２に記載の防水コネクタであって、
前記サブコネクタに、前記収容室にサブコネクタを収容した際に、前記収容室の入口側を塞いで前記パッキンを保護する保護壁を設けたことを特徴とする防水コネクタ。
【請求項４】
請求項１〜３のいずれか１項に記載の防水コネクタであって、
前記フレームとサブコネクタに、前記収容室にサブコネクタを収容した状態で互いに係合することにより、フレームとサブコネクタをロックするロック部が設けられており、前記フレーム側のロック部が、該フレームの端部よりも突出させて設けられており、且つ、サブコネクタの挿入方向と交差する方向に撓み可能に設けられていることを特徴とする防水コネクタ。
【請求項５】
請求項４に記載の防水コネクタであって、
前記サブコネクタ側のロック部が、該サブコネクタの各端子収容室の後端に挿入される防水ゴム栓の位置よりも後方に設けられていることを特徴とする防水コネクタ。
【発明の詳細な説明】
【技術分野】
【０００１】
本発明は、複数のサブコネクタをフレームに組み込んで構成した分割型の防水コネクタに関するものである。
【背景技術】
【０００２】
複数のサブコネクタを１つのフレームに組み込んで、サブコネクタとフレームの隙間をシール部材でシールした防水型のコネクタの例が特許文献１において知られている。
【０００３】
図１６は特許文献１に記載された防水コネクタの断面図、図１７は図１６におけるサブコネクタとシール部材などの構成を示す分解斜視図である。
【０００４】
図１６、図１７に示すように、この防水コネクタは、複数の収容室１１１Ａ、１１１Ｂを有したフレーム１１０と、各収容室１１１Ａ、１１１Ｂに個別に収容される複数のサブコネクタ１２０と、各サブコネクタ１２０と収容室１１１Ａ、１１１Ｂとの間をシールすると共に、サブコネクタ１２０内に収容される端子１５０につながる各電線１５１とサブコネクタ１２０のハウジング１２１との隙間を一括してシールするゴム栓１３０と、このゴム栓１３０を脱落しないように押さえるゴム栓カバー１４０と、を備えている。
【０００５】
サブコネクタ１２０は、収容室１１１Ａ、１１１Ｂ内に挿入された際に、収容室１１１Ａ、１１１Ｂ側のロック部１１５にサブコネクタ１２０側のロック部１２５が係合することにより、外れないようにロックされる。ゴム栓１３０の外周にはシールリップ１３１が設けられており、サブコネクタ１２０が収容室１１１Ａ、１１１Ｂ内に挿入された際に、シールリップ１３１が収容室１１１Ａ、１１１Ｂの内壁に密着することで、サブコネクタ１２０と収容室１１１Ａ、１１１Ｂとの隙間をシールするようになっている。
【特許文献１】特開２００２−１１０２８９号公報
【発明の開示】
【発明が解決しようとする課題】
【０００６】
上記従来の防水コネクタでは、ゴム栓１３０の外周のシールリップ１３１が、サブコネクタ１２０と収容室１１１Ａ、１１１Ｂの隙間をシールするパッキンの役目をするようになっているが、このパッキンの役目をする部分（シールリップ１３１）が外部に露出しているため、サブコネクタ１２０をフレーム１１０の各収容室１１１Ａ、１１１Ｂに嵌合するまでの工程において、パッキン部分（シールリップ１３１）にゴミや埃が付着したり、傷が付いたりする可能性があり、その結果、品質低下につながるおそれがあった。また、その予防として、サブコネクタ１２０用の保護カバーを用意することも考えられるが、そうすると、余分な部品が増えてコスト高になる問題があった。
【０００７】
本発明は、上記事情を考慮し、部品点数増やコスト増を招かずに、サブコネクタとフレーム間をシールするパッキンへのゴミや埃の付着・傷付き等を防止して、防水品質を高めることのできる防水コネクタを提供することを目的とする。
【課題を解決するための手段】
【０００８】
請求項１の発明は、複数の収容室を有したフレームと、前記各収容室に個別に収容される複数のサブコネクタと、該各サブコネクタと収容室との間をシールするパッキンと、を備えた防水コネクタであって、前記各収容室の内壁に前記パッキンを固定すると共に、前記サブコネクタの外周に、前記パッキンの内周に圧接することでシール性を確保するシール面を設けたことを特徴とする。
【０００９】
請求項２の発明は、請求項１に記載の防水コネクタであって、前記パッキンと収容室の内壁の一方に係合突起を設けると共に、他方に係合孔を設け、前記係合突起と係合孔の係合により、前記パッキンを収容室の内壁に固定したことを特徴とする。
【００１０】
請求項３の発明は、請求項１または２に記載の防水コネクタであって、前記サブコネクタに、前記収容室にサブコネクタを収容した際に、前記収容室の入口側を塞いで前記パッキンを保護する保護壁を設けたことを特徴とする。
【００１１】
請求項４の発明は、請求項１〜３のいずれか１項に記載の防水コネクタであって、前記フレームとサブコネクタに、前記収容室にサブコネクタを収容した状態で互いに係合することにより、フレームとサブコネクタをロックするロック部が設けられており、前記フレーム側のロック部が、該フレームの端部よりも突出させて設けられており、且つ、サブコネクタの挿入方向と交差する方向に撓み可能に設けられていることを特徴とする。
【００１２】
請求項５の発明は、請求項４に記載の防水コネクタであって、前記サブコネクタ側のロック部が、該サブコネクタの各端子収容室の後端に挿入される防水ゴム栓の位置よりも後方に設けられていることを特徴とする。
【発明の効果】
【００１３】
請求項１の発明によれば、サブコネクタとフレームの隙間をシールするパッキンを、予めフレーム内に設けてあり、従来のようにサブコネクタ側に露出状態で取り付けていないので、サブコネクタをフレームに組み付けるまでの段階で、パッキンにゴミや埃が付着したり傷が発生したりするのを防止することができ、防水の信頼性向上を図ることができる。また、パッキンを保護するためのカバー類が不要であるため、部品点数増やコスト増を招くおそれもない。
【００１４】
請求項２の発明によれば、パッキンと収容室の内壁の一方に係合突起を設けると共に、他方に係合孔を設け、係合突起と係合孔を係合させることで、パッキンを収容室の内壁に固定したので、サブコネクタの嵌合を行う前でも、パッキンが脱落しない。
【００１５】
請求項３の発明によれば、サブコネクタに、収容室にサブコネクタを収容した際に、収容室の入口側を塞いでパッキンを保護する保護壁を設けたので、外部からのゴミ・埃の侵入を防止することができ、パッキンの防水性向上を図ることができる。また、パッキンの移動防止を図ることができ、パッキンの係止の信頼性をアップすることができる。また、サブコネクタに保護壁を形成しているので、別にパッキン押さえを設ける必要がなく、部品点数増を抑えることができる。
【００１６】
請求項４の発明によれば、フレームとサブコネクタをロックするフレーム側のロック部を、フレーム端部よりも突出させて設け、サブコネクタの挿入方向と交差する方向に撓み可能に設けているので、解除操作しやすく、メンテナンス性・解体性が向上する。
【００１７】
請求項５の発明によれば、サブコネクタ側のロック部を、サブコネクタの各端子収容室の後端に挿入される防水ゴム栓の位置よりも後方に設けたので、防水ゴム栓を装着する部分の設計的な制限を受けずに、自由にそのロック部を設計することができる。従って、投影面積が小さくなるように設計することもできる。
【発明を実施するための最良の形態】
【００１８】
以下、本発明の実施形態を図面を参照しながら説明する。
【００１９】
図１は実施形態の防水コネクタの分解斜視図、図２はフレームの各収容室にパッキンを挿入する前の状態を示す断面図、図３はフレームの各収容室にパッキンを挿入した状態を示す断面図、図４は図３と同じ状態の破断斜視図、図５は図３のＶ部の拡大図、図６は図３のＶＩ部の拡大図、図７はフレームの各収容室にサブコネクタを嵌合する前の状態を示す断面図、図８はフレームの各収容室にサブコネクタを嵌合した状態を示す断面図、図９は図８のＩＸ部の拡大図、図１０は図８のＸ部の拡大図、図１１はフレームの各収容室にサブコネクタを嵌合した状態を示す後面図、図１２はフレームの各収容室にサブコネクタを嵌合した状態を示す後方から見た斜視図、図１３はフレームにサブコネクタを組み付ける前の状態を示す外観側面図、図１４は図１３のＸＩＶ部の係合時の状態を示す拡大斜視図、図１５は図１３のＸＶ部の係合時の状態を示す拡大斜視図である。
【００２０】
図１〜図８に示すように、この防水コネクタは、複数の収容室１１Ａ、１１Ｂ（図示例では２個であるが、それ以上であってもよい）を有したフレーム１０と、各収容室１１Ａ、１１Ｂに個別に収容される複数のサブコネクタ２０Ａ、２０Ｂ（雌型でも雄型でもよい）と、各サブコネクタ２０Ａ、２０Ｂと収容室１１Ａ、１１Ｂとの間をシールするパッキン３０Ａ、３０Ｂと、を備えている。各サブコネクタ２０Ａ、２０Ｂのハウジング２１に形成した端子収容室２４（図１２参照）には、図１に示すように、後方から端子４０Ａ、４０Ｂが挿入されており、各端子４０Ａ、４０Ｂから後方へ延びる電線には、端子収容室２４との隙間をシールするゴム栓４８Ａ、４８Ｂが個別に装着されている。
【００２１】
図１、図２に示すように、パッキン３０Ａ、３０Ｂは、外周と内周にシールリップ（特に符号を付さず）を有した環状のパッキン本体３１の前端面に複数の係合突起３２を突設したもので、図５、図６に示すように、各収容室１１Ａの内壁に形成した係合孔１２に各係合突起３２を係合させることにより、それぞれ収容室１１Ａ、１１Ｂの内周壁に固定されている。
【００２２】
図１及び図７〜図１０に示すように、サブコネクタ２０Ａ、２０Ｂのハウジング２１の外周には、サブコネクタ２０Ａ、２０Ｂを収容室１１Ａ、１１Ｂに嵌合したときに、パッキン３０Ａ、３０Ｂの内周に圧接することでシール性を確保するシール面２１ａが設けられている。また、シール面２１ａの後側には、収容室１１Ａ、１１Ｂにサブコネクタ２０Ａ、２０Ｂを収容した際に、収容室１１Ａ、１１Ｂの入口（後面開口）側を塞いでパッキン３０Ａ、３０Ｂを保護する保護壁２１ｂが、シール面２１ａよりも拡径した部分として設けられている。
【００２３】
また、図１３〜図１５に示すように、フレーム１０とサブコネクタ２０Ａ、２０Ｂには、収容室１１Ａ、１１Ｂにサブコネクタ２０Ａ、２０Ｂを収容した状態で互いに係合することにより、フレーム１０とサブコネクタ２０Ａ、２０Ｂをロックするロック枠１５とロック突起２５（ロック部）が設けられている。フレーム１０側のロック枠１５は、フレーム１０の後端１０ａ（端部）よりも後方へ突出させて設けられており、且つ、図１４に示すように、サブコネクタ２０Ａ、２０Ｂの挿入方向Ａと交差する方向Ｂに撓み可能に設けられている。また、サブコネクタ２０Ａ、２０Ｂ側の係合突起２５は、サブコネクタ２０Ａ、２０Ｂの各端子収容室２４の後端に挿入される防水ゴム栓４８Ａ、４８Ｂ（図１参照）の位置よりも後方に設けられている。
【００２４】
以上の構成の防水コネクタでは、サブコネクタ２０Ａ、２０Ｂとフレーム１０の隙間をシールするパッキン３０Ａ、３０Ｂを、予めフレーム１０内に設けてあり、従来のようにサブコネクタ２０Ａ、２０Ｂ側に露出状態で取り付けていないので、サブコネクタ２０Ａ、２０Ｂをフレーム１０に組み付けるまでの段階で、パッキン３０Ａ、３０Ｂにゴミや埃が付着したり傷が発生したりするのを防止することができ、防水の信頼性向上を図ることができる。
【００２５】
また、パッキン３０Ａ、３０Ｂと収容室１１Ａ、１１Ｂの内壁の一方に係合突起３２を設けると共に、他方に係合孔１２を設け、係合突起３２と係合孔１２を係合させることで、パッキン３０Ａ、３０Ｂを収容室１１Ａ、１１Ｂの内壁に固定しているので、サブコネクタ２０Ａ、２０Ｂの嵌合を行う前でも、パッキン３０Ａ、３０Ｂが脱落する心配がない。また、パッキン３０Ａ、３０Ｂを保護するためのカバー類が不要であるため、部品点数増やコスト増を招くおそれもない。
【００２６】
また、サブコネクタ２０Ａ、２０Ｂに、収容室１１Ａ、１１Ｂの入口側を塞いでパッキン３０Ａ、３０Ｂを保護する保護壁２１ｂを設けているので、サブコネクタ２０Ａ、２０Ｂを嵌合した状態での外部からのゴミ・埃の侵入を防止することができ、パッキン３０Ａ、３０Ｂの防水性向上を図ることができる。
【００２７】
また、保護壁２１ｂによって、パッキン３０Ａ、３０Ｂの移動防止を図ることができ、パッキン３０Ａ、３０Ｂの係止の信頼性をアップすることができる。また、サブコネクタ２０Ａ、２０Ｂに保護壁２１ｂを一体に形成しているので、別にパッキン押さえを設ける必要がなく、部品点数増を抑えることができる。
【００２８】
また、フレーム１０とサブコネクタ２０Ａ、２０Ｂをロックするフレーム１０側のロック枠１５を、フレーム端部１０ａよりも突出させて設けており、サブコネクタ２０Ａ、２０Ｂの挿入方向Ａと交差する方向Ｂに撓み可能に設けているので、解除操作がしやすく、メンテナンス性・解体性の向上が図れる。
【００２９】
また、サブコネクタ２０Ａ、２０Ｂ側のロック突起２５を、サブコネクタ２０Ａ、２０Ｂの各端子収容室２４の後端に挿入される防水ゴム栓４８Ａ、４８Ｂの位置よりも後方に設けているので、防水ゴム栓４８Ａ、４８Ｂを装着する部分の設計的な制限を受けずに、自由にそのロック突起２５の周辺を設計することができる。従って、投影面積が小さくなるように設計することも可能である。
【図面の簡単な説明】
【００３０】
【図１】本発明の実施形態の防水コネクタの分解斜視図である。
【図２】フレームの各収容室にパッキンを挿入する前の状態を示す断面図である。
【図３】フレームの各収容室にパッキンを挿入した状態を示す断面図である。
【図４】図３と同じ状態の破断斜視図である。
【図５】図３のＶ部の拡大図である。
【図６】図３のＶＩ部の拡大図である。
【図７】フレームの各収容室にサブコネクタを嵌合する前の状態を示す断面図である。
【図８】フレームの各収容室にサブコネクタを嵌合した状態を示す断面図である。
【図９】図８のＩＸ部の拡大図である。
【図１０】図８のＸ部の拡大図である。
【図１１】フレームの各収容室にサブコネクタを嵌合した状態を示す後面図である。
【図１２】フレームの各収容室にサブコネクタを嵌合した状態を示す後方から見た斜視図である。
【図１３】フレームにサブコネクタを組み付ける前の状態を示す外観側面図である。
【図１４】図１３のＸＩＶ部の係合時の状態を示す拡大斜視図である。
【図１５】図１３のＸＶ部の係合時の状態を示す拡大斜視図である。
【図１６】従来の防水コネクタの断面図である。
【図１７】図１６におけるサブコネクタの分解斜視図である。
【符号の説明】
【００３１】
１０  フレーム
１１Ａ，１１Ｂ  収容室
１２  係合孔
１５  ロック枠
２０Ａ，２０Ｂ  サブコネクタ
２１ａ  シール面
２１ｂ  保護壁
２４  端子収容室
２５  ロック突起
３０Ａ，３０Ｂ  パッキン
３２  係合突起
４８Ａ，４８Ｂ  防水ゴム栓
【図１】
0004537966.tif 000002
【図２】
0004537966.tif 000003
【図３】
0004537966.tif 000004
【図４】
0004537966.tif 000005
【図５】
0004537966.tif 000006
【図６】
0004537966.tif 000007
【図７】
0004537966.tif 000008
【図８】
0004537966.tif 000009
【図９】
0004537966.tif 000010
【図１０】
0004537966.tif 000011
【図１１】
0004537966.tif 000012
【図１２】
0004537966.tif 000013
【図１３】
0004537966.tif 000014
【図１４】
0004537966.tif 000015
【図１５】
0004537966.tif 000016
【図１６】
0004537966.tif 000017
【図１７】
0004537966.tif 000018